(57)【要約】      （修正有）【課題】確実に数本の縫い針を保護し、縫い目が飛ぶおよび縫い針が折れるなどの状況を避けると同時に、各種の縫い目の粗さを調整することができ、作業効率と品質をアップするミシン用の複合式糸掛け器を提供する。【解決手段】主に台座１０、糸掛け棒２０および針保護棒３０で構成するミシン用複合式糸掛け器である。台座１０に下向けの支え棒１１を設け、糸掛け棒２０および針保護棒３０は台座１０上方より横向きに延伸する。糸掛け棒２０の一端は下向きに台座１０の接続棒２１と連接し、別端は宙に延伸する尖端であり、接続棒２１と尖端の間に針穴２３を設ける。針保護棒３０の一端は接続部３１であり、別端は宙に延伸する突出部３２を具有することで、針保護棒３０は並行して糸掛け棒２０との下方に位置する。【選択図】図２
0003146573.tif 000002
【実用新案登録請求の範囲】
【請求項１】
台座、糸掛け棒および針保護棒を含み、
該台座に下向きの支え棒を設け、糸掛け棒および針保護棒は台座上方より横向きに延伸し、
該糸掛け棒の一端は下向きに台座の接続棒と連接し、別端は宙に延伸する尖端であり、接続棒と尖端の間に針穴を設け、
該針保護棒の一端は接続部であり、別端は宙に延伸する突出部を具有することを特徴とするミシン用複合式糸掛け器の構造。
【請求項２】
前記針保護棒の接続部と糸掛け棒の接続棒は一体化成型であることを特徴とする請求項1記載のミシン用複合式糸掛け器の構造。
【請求項３】
針保護棒の接続部を糸掛け棒の接続棒の側面に定置付けし、接続部は彎曲状の偏折部として針保護棒と一体化することを特徴とする請求項1記載のミシン用複合式糸掛け器の構造。
【請求項４】
前記針保護棒の接続部と糸掛け棒の接続棒の間に、相対する固定穴および対応する固定部品を設けることを特徴とする請求項3記載のミシン用複合式糸掛け器の構造。
【請求項５】
前記針保護棒の接続部と台座は一体化成型であることを特徴とする請求項1記載のミシン用複合式糸掛け器の構造。
【請求項６】
前記針保護棒の接続部と台座の間は、相対する固定穴および対応する固定部品を設置することを特徴とする請求項1記載のミシン用複合式糸掛け器の構造。
【請求項７】
前記針保護棒は糸掛け棒の真下に設置すべきであり、相対的に台座の上面から離すことを特徴とする請求項1、2、3、5あるいは6記載のミシン用複合式糸掛け器の構造。
【請求項８】
前記台座は糸掛け棒の側面と対応して横並行に別の針保護棒を延伸することを特徴とする請求項7記載のミシン用複合式糸掛け器の構造。
【考案の詳細な説明】
【技術分野】
【０００１】
本考案はミシン用複合式糸掛け器の構造に関し、特に縫い糸を引っ掛けると同時に、ミシン多数の縫い針を保護する複合式糸掛け器の構造に関する。
【背景技術】
【０００２】
一般的なミシンとロックミシンなどの設備は、必ず上方ヘッドおよび下方に相対するベースプレートを設置する。ヘッドに布押さえ装置と縫い針装置を設け、ベースプレイとは布送りと糸掛け装置を設け、縫い針装置の数本の縫い針が糸と共に上下往復する布に刺しながら、糸掛け装置の糸掛け器90および糸掛け針91(図1を参照)と共に往復して縫い糸を引っ掛けることで、ミシンやロックの作業をする。
【０００３】
糸掛け器90の糸掛け針91が左右往復する際、一つの針保護装置92が片側から縫い針装置の多数の縫い針を保護する。しかしこのような片側のプロテクト設計では、なおも針が折れるあるいは縫い目が飛ぶことがあり、作業効率および品質に影響を及ぼす。
【０００４】
作業中の針折れおよび縫い目飛びの欠点を解決するため、ミシンの布送りの底部に針保護台を設ける。端部を適時に縫い針の下段サイドに抵触することで、掛け針と対応する縫い針の縁に寄せて通るようにする。この針保護台は適時にそのうちの一本あるいは二本の縫い針のみ支えるしかできず、ほかの縫い針は尚も針が折れるあるいは縫い目が飛ぶなどの状況が生じる。特に毎回縫い目を調整するたび、新たに針保護台の位置を調整しなおさないといけないため、人力と時間が費やされる上、正確にコントロールするのが難しいなどを鑑みて、改善する必要があった。
【特許文献１】実用新案公開平６−７６７７号公報
【考案の開示】
【考案が解決しようとする課題】
【０００５】
前記従来技術の欠点を解決するため、本考案は糸掛け棒の下方より針保護棒を延伸することで、確実に数本の縫い針を保護し、縫い目が飛ぶおよび縫い針が折れるなどの状況を避けると同時に、各種の縫い目の粗さを調整することができ、作業効率と品質をアップするミシン用の複合式糸掛け器を提供することを主な課題とする。
【課題を解決するための手段】
【０００６】
前記課題を解決するために、本考案は台座、糸掛け棒および針保護棒から構成する糸掛け器である。該台座に下向きの支え棒を設け、糸掛け棒および針保護棒は台座上方より横向きに延伸する。該糸掛け棒の一端は下向きに台座の接続棒と連接し、別端は宙に延伸する尖端であり、接続棒と尖端の間に針穴を設ける。針保護棒の一端は接続部であり、別端は宙に延伸する突出部を具有することで、針保護棒は並行して糸掛け棒との下方に位置する。
【０００７】
最良実施例では、該針保護棒の接続部と糸掛け棒の接続棒は一体化成型である。
【０００８】
最良実施例では、該針保護棒の接続部と糸掛け棒の接続棒は一体化成型である。また、該針保護棒の接続部と糸掛け棒の接続棒の間は、互いに相対する固定穴および対応する固定部品を設ける。
【０００９】
最良実施例では、該針保護棒の接続部と台座は一体化成型である。
【００１０】
最良実施例では、該針保護棒の接続部と台座の間は、互いに相対する固定穴および対応する固定部品を設ける。最良実施例では、針保護棒は糸掛け棒の真下に設置すべきであり、相対的に台座の上面から離すこと。また、該台座各種の糸掛け棒の接続棒と台座との間は、可動的に螺合するほか、図6に示すように一体化成型することもできる。また、該台座は糸掛け棒の側面と対応して横並行に別の針保護棒を延伸する。
【考案の効果】
【００１１】
本考案は針保護棒を糸掛け棒の下方に設置することで、確実に数本の縫い針を保護し、縫い目が飛ぶおよび縫い針が折れるなどの状況を避けると同時に、各種の縫い目の粗さを調整することができ、作業効率と品質をアップする
【考案を実施するための最良の形態】
【００１２】
図2および図3に示すように、本考案の糸掛け器はミシンの糸掛け装置の中に適用し、往復して縫い糸を引っ掛けると同時に、適時にミシンの多数の縫い針を保護する。図に示すように、糸掛け器は主に台座10、糸掛け棒20および針保護棒30で構成する。組み立てて糸掛け装置の糸掛け座(図に未掲載)に固定する。本考案の糸掛け器は図2から図9に示すように、第一から第六実施例にすることができる。説明が分かりやすいよう、各実施例の糸掛け棒20の構造および針保護棒30、302、303〜306はそれぞれ相同あるいは相似構造部位は相同の部品符号を使っている。
【００１３】
図2および図3に示す第一実施例では、本考案の複合式糸掛け器は少なくとも台座10、糸掛け棒20および針保護棒30を含む。該台座10に下向きの支え棒11を設け、該糸掛け棒20および針保護棒30は横向きに台座10の上方に延伸する。図に示すように、該糸掛け棒20に、下向きに台座10と連接する接続棒21を具有し、別端は宙に尖端22を延伸する。接続棒と尖端22の間に針穴23を設ける。本考案の針保護棒30の一端は接続部31であり、別端は宙に突出部32を延伸し、針保護棒30は並行して糸掛け棒20との下方に位置する。確実に多数の縫い針を保護し、縫い目が飛ぶおよび縫い針が折れるなどの欠点を解決すると同時に、縫い目のサイズを調整することができる。
【００１４】
図2、図3に示すように、台座10のサイドに糸掛け棒20と互いに嵌合する凸棒12と溝24を設け、ねじ栓26を穴25に通してねじ穴13で固定する。また、台座10の別側に糸掛け棒20に対応して横並行に別の針保護棒40を延伸し、二つの針保護棒30、40が共に縫い針の両サイドを保護する。図に示すように、針保護棒40の片端は底部接続部41、別端は突出部42を設け、台座10上部と接続部41との間に相対する固定穴14、43を設け、ねじ栓などの固定部品44で固定し、更に相対する固定棒15および穴45で定置付けする。
【００１５】
本考案第一実施例の複合式糸掛け器は、主に針保護棒30の接続部31と糸掛け棒20の接続棒21は一体になっている。図4、図5および図6に示すのは第二および第三実施例である。針保護棒302、303の接続部31を糸掛け棒20の接続棒21の側面に定置付けし、接続部31は彎曲状の偏折部36および針保護棒302、303と一体化し、更に針保護棒302、303の接続部31と糸掛け棒20の接続棒21の間に相対する固定穴27、33を設置し、ねじ栓などの固定部品34で螺合し、更に固定棒28固定穴35で強化する。固定穴27、33、固定棒28、固定穴35の構造位置は互いに交換することができる。
【００１６】
図7の示す第四実施例のように、本考案の糸掛け器は針保護棒304の接続部31は台座10と一体化成型している。図8の示す第五実施例のように、主に針保護棒305の接続部31を折って底部にし、台座10との間に相対する固定穴14、33を設け、ねじ栓などの固定部品34で定置付けする。図9に示す第六実施例のように、糸掛け棒20の接続棒21と針保護棒306の接続部31は、台座10の一端にある斜立の固定アーム16に相対して設置し、ねじ栓などの固定部品26、34で螺合固定する。
【００１７】
図2から図9に示す第一から第六実施例のように、本考案の糸掛け器の各種針保護棒30、302、303〜306は糸掛け棒20の真下に設置すべきであり、相対的に台座10の上面から離すこと。各種の糸掛け棒20の接続棒21と台座10との間は、可動的に螺合するほか、図6に示すように一体化成型することもできる。
【００１８】
本考案のミシン用複合式糸掛け器は主に糸掛け棒の下方より同方向に針保護棒を延伸することで、多数の縫い針を保護し、縫い目が飛ぶおよび縫い針が折れるなどの状況を避けると同時に、各種の縫い目サイズの調整に適用するなど、作業効率および品質をアップする。
【００１９】
以上の実施例による本考案の詳細な説明は本考案の範囲を制限するものではない。本技術に熟知する者は、固定構造の変更などの適当な変更および調整を行うことができ、これらの変更および調整を行っても本考案の重要な意義は失われず、本考案の範囲に含まれる。
【図面の簡単な説明】
【００２０】
【図１】従来技術の糸掛け器の立体図である。
【図２】本考案第一実施例の糸掛け器の立体図である。
【図３】図2の糸掛け器の分解図である。
【図４】本考案第二実施例の糸掛け器の立体図である。
【図５】図4の糸掛け器の分解図である。
【図６】本考案第三実施例の糸掛け器の立体図である。
【図７】本考案第四実施例の糸掛け器の立体図である。
【図８】本考案第五実施例の糸掛け器の立体図である。
【図９】本考案第六実施例の糸掛け器の立体図である。
【符号の説明】
【００２１】
10 台座
11 支え棒
12 凸棒
13 ねじ穴
14 固定穴
15 固定棒
16 固定アーム
20 糸掛け棒
21 接続棒
22 尖端
23 針穴
24 溝
25 穴
26 ねじ栓
27 固定穴
28 固定棒
30、302、303〜306  針保護棒
31  接続部
32 突出部
33 固定穴
34 固定部品
35 穴
36 偏折部
40 針保護棒
41 接続部
42 突出部
43 固定穴
44 固定部品
45 穴
【図１】
0003146573.tif 000003
【図２】
0003146573.tif 000004
【図３】
0003146573.tif 000005
【図４】
0003146573.tif 000006
【図５】
0003146573.tif 000007
【図６】
0003146573.tif 000008
【図７】
0003146573.tif 000009
【図８】
0003146573.tif 000010
【図９】
0003146573.tif 000011